(57)【要約】【課題】冬期の地温保持に好適な有機肥料を作り、この有機肥料を冬期に地中深く施肥して地温保持剤として寒い時期の作物の成育促進を図ることを目的とする。【解決手段】畜産排泄物を主原料とする有機性廃棄物に、米糠、穀類滓等にて放線菌を培養した発酵菌体と、木炭または竹炭の粉末か、或いはコーヒー粕を加えて約６０℃〜７０℃で発酵処理した有機肥料を混合攪拌した後、更に糖蜜５%〜１０％の希釈液を投入混合しながら全体の水分が最も発酵し易い含水率が約６０%程度になるように調整しながら混合攪拌し、その後３〜１０日間位、発酵温度６０℃〜７０℃程度にて発酵させた後、約１５℃〜2０℃程度まで自然冷却して含水率３５%程度の粉末状態とした。【特許請求の範囲】
【請求項１】
畜産排泄物を主原料とする有機性廃棄物に、米糠、穀類滓等にて放線菌を培養した発酵菌体と、木炭または竹炭の粉末か、或いはコーヒー粕を加えて約６０℃〜７０℃で発酵処理した有機肥料を混合攪拌した後、更に糖蜜５%〜１０％の希釈液を投入混合しながら全体の水分が最も発酵し易い含水率が約６０%程度になるように調整しながら混合攪拌し、その後３〜１０日間位、発酵温度６０℃〜７０℃程度にて発酵させた後、約１５℃〜2０℃程度まで自然冷却して含水率３５%程度の粉末状態としたことを特徴とする有機肥料。
【請求項２】
前記有機肥料原料の混合割合を重量基準で、
・畜産排泄物を主原料とする有機性廃棄物を４３重量％、
・米糠、穀類粕等にて培養した発酵菌体を２９重量％、
・木炭または竹炭の粉末を２９重量％とするか、または木炭または竹炭に代えコーヒー粕を２９重量％とした請求項１記載の有機肥料。
【請求項３】
前記有機肥料を畑に掘った施肥溝の底に厚み１０ｃｍ〜１５ｃｍ程度施肥し、その上に該有機肥料が見えなくなる程度に軽く覆土し、さらにその上に腐熟した混合基肥と畑土とを約１：１程度に満遍なく混ぜて厚み１０ｃｍ〜１５ｃｍ程度被せるようにした請求項１及び請求項２記載の有機肥料を用いた施肥法。
【発明の詳細な説明】
【技術分野】
【０００１】
本発明は家畜などの排泄物である有機性廃棄物に米糠、穀類粕等にて培養した発酵菌体を加えて発酵処理した有機肥料を作り、この有機肥料を冬期に地中深く施肥して地温保持剤として寒い時期の作物の成育促進を図ることを目的としたものであり、特に施設園芸等にその効果が顕著に現れる地温保持に用いる有機肥料の製法及び施肥法に関する。
【背景技術】
【０００２】
冬季の寒い時期の農作物の栽培、特に施設園芸等の施設内の温度と、根の活躍する地下部の温度差による不均衡を出来るだけ少なくするために地下部の保温、または地温の上昇を図る必要があり好適な有機質地温保持剤が求められていた。また地温上昇を図るために電力を使用した電熱ヒ―ターやスチームによる地下の加温が行なわれていたがコストがかかり過ぎるという問題があった。
【０００３】
本発明は冬期の寒い時期の作物の成育促進を目的としたものであり、特に本肥料を用いることにより施設園芸等に其の効果が顕著に現れる。そして外気温の低い時期に施設内の温度を高めて２５℃〜３５℃と作物が成育し易い様に温度を保ち、人工的に価値ある作物の生産を行なうものであるが、室内温度は充分な成育温度を満たしているが、地下部の根の位置する温度が１３℃〜１６℃となるため地上部と地下部との温度の格差が大きく作物の成育を妨げる結果となっている。
【０００４】
地上部の成育は順調に見えるが地下部の温度が上がらず、折角、良い肥料を充分与えても、地下部の温度不足の為に根の活動力、養分の吸収力が不足して地上部の旺盛な成育について行けず与えた肥料も充分に消化吸収出来ず、地上部に栄養分が届かず、充分に成育できない結果となっている。其の為に3℃〜５℃程度でも地中温度を上げることで作物の成育を旺盛にする事が出来て生産を大きく向上させる事が出来る。
【０００５】
従来、家畜糞尿など畜産廃棄物や生ゴミ等におが屑などの炭素質基材を混ぜ発酵処理して有用な有機肥料を生成する手段がいろいろと提案されているが地温を上昇させることを目的とした有機肥料は存在しない。
【特許文献１】特開平１１―１５６３９５号
【特許文献２】特開２０００―２６１８１号
【特許文献３】特開平９―１４２９７２号
【特許文献４】特開２００３―１７１１９１号
【発明の開示】
【発明が解決しようとする課題】
【０００６】
本発明は冬期の地温保持に好適な有機肥料を作り、この有機肥料を冬期に地中深く施肥して地温保持剤として寒い時期の作物の成育促進を図ることを目的とする。
【課題を解決するための手段】
【０００７】
本発明は上記課題を解決するために、請求項１記載のように、畜産排泄物を主原料とする有機性廃棄物に、米糠、穀類滓等にて放線菌を培養した発酵菌体と、木炭または竹炭の粉末か、或いはコーヒー粕を加えて約６０℃〜７０℃で発酵処理した有機肥料を混合攪拌した後、更に糖蜜５%〜１０％の希釈液を投入混合しながら全体の水分が最も発酵し易い含水率が約６０%程度になるように調整しながら混合攪拌し、その後３〜１０日間位、発酵温度６０℃〜７０℃程度にて発酵させた後、約１５℃〜2０℃程度まで自然冷却して含水率３５%程度の粉末状態としたことを特徴とする有機肥料である。
【０００８】
また請求項２記載のように、前記有機肥料原料の混合割合を重量基準で、
・畜産排泄物を主原料とする有機性廃棄物を４３重量％、
・米糠、穀類粕等にて培養した発酵菌体を２９重量％、
・木炭または竹炭の粉末を２９重量％とするか、または木炭または竹炭に代えコーヒー粕を２９重量％とした請求項１記載の有機肥料である。
【０００９】
また請求項３記載のように、前記有機肥料を畑に掘った施肥溝の底に厚み１０ｃｍ〜１５ｃｍ程度施肥し、その上に該有機肥料が見えなくなる程度に軽く覆土し、さらにその上に腐熟した混合基肥と畑土とを約１：１程度に満遍なく混ぜて厚み１０ｃｍ〜１５ｃｍ程度被せるようにした請求項１及び請求項２記載の有機肥料を用いた施肥法であることを特徴とする。
【発明の効果】
【００１０】
本発明の有機肥料を土壌中に施す事により、土壌中の酸素や水分の保持力を高めて、更に同じ施用する事により土壌中の水分と酸素を適当に含むことによって３５%程度の水分不足状態の有機質特殊地温保持剤の中の菌体を活性化して、発酵が始まり地温の上昇を図る事が出来る。又、有機性腐食物質を多く含んでいる為に土壌を膨軟にし、作物の生長に応じて根の伸長を助長促進し、肥効成分の吸収力を増大する事が出来る等の効果がある。
【発明を実施するための最良の形態】
【００１１】
本発明実施の最良の形態は、畜産排泄物を主原料とする有機性廃棄物に、米糠、穀類粕等にて培養した放線菌を主体とした発酵菌体と、木炭または竹炭の粉末加えて６０℃〜７０℃にて発酵処理した有機肥料に、更に糖蜜５%〜１０％の希釈液を投入混合し、その混合物全体を最も発酵し易い含水率６０%程度になるように調整しながら混合攪拌する。その後３〜１０日位、発酵温度６０℃〜７０℃程度にて発酵させた後、約１５℃〜２０℃程度に自然冷却して含水率３５%程度の粉末状態とした有機肥料を生成する。
【実施例１】
【００１２】
本発明の地温保持効果を目的とする有機肥料を生成するには、家畜などの排泄物である有機性廃棄物を発酵処理した有機肥料４５ｋｇと、米糠、穀類粕等に培養した発酵菌体を加えたもの３０ｋｇと、木炭又は竹炭の粉末３０ｋｇか、または木炭又は竹炭の粉末に代えてコ−ヒー粕３０ｋｇを混合攪拌し、更に糖蜜を５ｇ％〜１０ｇ％含む希釈液を約４０Ｌ程度投入し、混合物全体の水分が最も発酵し易い含水率が約６０%になる様に混合攪拌しながら調整する。その後８時間程度で発酵が始まるので５~１０日間ほど温度６０℃〜７０℃程度にて発酵させる、その後、自然冷却し含水率を約３０〜３５%程度のサラサラな粉末状態の地温保持に好適な有機肥料を生成することが出来る。
【００１３】
そして前記有機肥料原料の混合割合は重量基準で換算すると、
・畜産排泄物を主原料とする有機性廃棄物を４３重量％、
・米糠、穀類粕等にて培養した発酵菌体を２９重量％、
・木炭または竹炭の粉末を２９重量％とするか、または木炭または竹炭に代えコーヒー粕を２９重量％となる。
【実施例２】
【００１４】
そしてこの地温保持に好適な有機肥料が畑の地温上昇及びその保持に効果があるか、約１０坪の耕した畑に施肥し実験した。長さ５m、巾２０ｃｍ、深さ１８ｃｍの溝を掘り、そこへ前述の製法で生成した含水率３５%程度のサラサラな有機肥料を溝の一番底に、厚さ約１０ｃｍ〜１５ｃｍ程度、巾約２０ｃｍ程度、５m.の長さに施した。その上に地温保持有機肥料が見えなくなる程度に覆土をし、その上からあらかじめ準備しておいた良く腐熟した混合元肥を、長さ５m、巾２０ｃｍ、厚さ１０ｃｍ〜１５ｃｍに亘って畑土と約１：１程度に満遍なく混合攪拌して施肥した。その後１週間を経て野菜の苗を植えた。
【００１５】
施肥１週間後に地温保持有機肥料の温度を測って見たら２３℃に温度が上がっていた。近くの土壌の温度を測ってみると１６℃を示している。明らかに本発明地温保持有機肥料は地温保持剤としての昇温効果を確認する事が出来た。地温保持有機肥料の理想的な含水率は、温度の持続を望む場合、約５０%程度が一番好ましく、６０%以上は逆に温度を下降させる恐れが多分にあるので、過度の潅水には充分注意すべきである。